(57)【要約】      （修正有）【課題】見本台紙が見本台帳から、容易に脱着が出来、保管時や移動時に見本台紙が見本台帳から外れたりズレたりしない商品見本台帳を提供する。【解決手段】本考案の商品見本台帳は、見本８ａ、８ｂを配列する方向と平行に台紙差し込み穴が開けられた表見本台帳１ａの裏側に、略同サイズの裏見本台帳１ｂをその外周部で貼り付けられた見本台帳１と、複数の前記見本を配列する見本取り付け部と、前記見本取り付け部の横部に接合して設けられ前記台紙差し込み穴に差し込んで前記見本取り付け部を前記見本台帳に固定する台紙差し込み部とからなり、前記見本取り付け部と前記台紙差し込み部の接合部の両端にそれぞれ長スリットと短スリットが設けらている見本台紙３ａ、３ｂとを備えている。【選択図】図１
0003204759.tif 000002
【実用新案登録請求の範囲】
【請求項１】
見本（８ａ、８ｂ）を配列する方向と平行に台紙差し込み穴（２）が開けられた表見本台帳（１ａ）の裏側に、略同サイズの裏見本台帳（１ｂ）をその外周部で貼り付けられた見本台帳（１）と、複数の前記見本（８ａ、８ｂ）を配列する見本取り付け部（４ａ、４ｂ）と、前記見本取り付け部（４ａ、４ｂ）の横部に接合して設けられ前記台紙差し込み穴（２）に差し込んで前記見本取り付け部（４ａ、４ｂ）を前記見本台帳（１）に固定する台紙差し込み部（５ａ、５ｂ）とからなり、前記見本取り付け部（４ａ、４ｂ）と前記台紙差し込み部（５ａ、５ｂ）の接合部の両端にそれぞれ長スリット（６ａ、６ｂ）と短スリット（７ａ、７ｂ）が設けらている見本台紙（３ａ、３ｂ）と、を備えた商品見本台帳。
【請求項２】
前記台紙差し込み穴（２）は、前記台紙差し込み部（５ａ、５ｂ）を抜き差ししやすいように、その中央部分の穴が大きくなっている請求項１に記載の商品見本台帳。
【請求項３】
前記長スリット（６ａ、６ｂ）の長さ（Ｌ３）が、前記短スリット（７ａ、７ｂ）の長さ（Ｌ４）より長い請求項１または請求項２に記載の商品見本台帳。
【請求項４】
前記台紙差し込み部（５ａ、５ｂ）の前記見本（８ａ、８ｂ）を配列した方向の長さ（Ｌ２）が前記見本取り付け部（４ａ、４ｂ）の前記見本（８ａ、８ｂ）を配列した方向の長さ（Ｌ１）より短く、前記台紙差し込み穴（２）の長さ（Ｌ５）は、前記台紙差し込み部（５ａ、５ｂ）の前記見本（８ａ、８ｂ）を配列した方向の長さ（Ｌ２）から、前記長スリット（６ａ、６ｂ）の長さ（Ｌ３）を差し引いた長さと略同じである請求項１〜３のいずれか１項に記載の商品見本台帳。
【考案の詳細な説明】
【技術分野】
【０００１】この考案は商品見本台帳に関するものである。
【背景技術】
【０００２】台帳の上下に穴をあけ、台紙の脱着ができる。色の異なる複数の見本を間隔をおいて取り付けた、長手のプレート状の見本台紙と上下の二か所に穴のあいた見本台帳から、プレート状の見本台紙を抜き差しして自在に脱着が出来る。例えば特許文献１を参照。
【先行技術文献】
【特許文献】
【０００３】
【特許文献１】実開平６−２１０７１号公報
【考案の概要】
【考案が解決しようとする課題】
【０００４】台帳に台紙を取り付けた際に、台紙が上下に動きやすく台帳に記載している品名や品番と台紙の見本にずれが生じ、間違いが起きやすい。見本の横にスペースが無い為、商品名や品番の記載が出来ない。
【課題を解決するための手段】
【０００５】本考案の商品見本台帳は、見本を配列する方向と平行に台紙差し込み穴が開けられた表見本台帳の裏側に、略同サイズの裏見本台帳をその外周部で貼り付けられた見本台帳と、複数の前記見本を配列する見本取り付け部と、前記見本取り付け部の横部に接合して設けられ前記台紙差し込み穴に差し込んで前記見本取り付け部を前記見本台帳に固定する台紙差し込み部とからなり、前記見本取り付け部と前記台紙差し込み部の接合部の両端にそれぞれ長スリットと短スリットが設けらている見本台紙と、を備えている。
【考案の効果】
【０００６】見本台紙にスリットを設け、見本台帳からの脱着時にスリットを利用することで見本台紙が見本台帳から、容易に脱着が出来、保管時や移動時に見本台紙が見本台帳から外れたりズレたりしない。
見本台紙を取り外し、対象物に近づけることができ、見本台紙に品名や品番や特徴などが明記出来るので、商品情報が見本台紙を見本台帳から外したまま確認が出来るので間違いが起きにくい。見本台紙を折り曲げずに見本台帳に差し込んで使う場合は見本台紙が浮き上がらず、見本を損傷しない。
【図面の簡単な説明】
【０００７】
【図１】見本台帳に見本台紙を取り付けた状態を示す図
【図２】見本台帳を示す図
【図３】見本台紙を示す図
【図４】見本台帳から見本台紙を脱着する方法を示す図
【図５】見本台帳から見本台紙を取り外し、対象物との相性を検討する使用例の図
【考案を実施するための形態】
【０００８】以下、本考案の実施の形態を図１〜図５を参照し、糸の色見本を例にして説明する。
図１と図２に示すように、商品見本台帳は見本台帳１と見本台紙３ａ、３ｂから構成されている。表見本台帳１ａの裏側に略同サイズの裏見本台帳１ｂをその外周部で貼り付け、表見本台帳１ａには台紙差し込み穴２を設け、この台紙差し込み穴２に見本台紙３ａ、３ｂを差し込んで取り付けている。図３に示すように、見本台紙３ａ、３ｂは、見本取り付け部４ａ、４ｂと台紙差し込み部５ａ、５ｂから構成されている。台紙差し込み部５ａ、５ｂは見本取り付け部４ａ、４ｂの横部に接合して設けられている。見本取り付け部４ａ、４ｂには見本８ａ、８ｂを取り付けている。見本取り付け部４ａ、４ｂと台紙差し込み部５ａ、５ｂの接合部の両端にそれぞれ長スリット６ａ、６ｂと短スリット７ａ、７ｂが設けられている。ここで、図３（Ａ）の見本台紙３ａは、見本取り付け部４ａに房状見本８ａを取り付けたものであり、図３（Ｂ）の見本台紙３ｂは、見本取り付け部４ｂに板巻き状の見本８ｂを取り付けたものである。
【０００９】図４（Ａ）、（Ｂ）は、見本台帳１に見本台紙３ａ、３ｂを装着する方法を示した図である。見本台紙３ａ、３ｂの台紙差し込み部５ａ、５ｂの片方（長スリット６ａ、６ｂの側）を台紙差し込み穴２に斜め方向にスライドさせて挿入し、見本台紙３ａ、３ｂのもう片方（短スリット７ａ、７ｂの側）をスライドさせて台紙差し込み穴２に入れて固定する。見本台帳１から見本台紙３ａ、３ｂを外す場合は、見本台紙３ａ、３ｂの片方（短スリット７ａ、７ｂの側）をスライドさせ、次に見本台紙３ａ、３ｂのもう片方（長スリット６ａ、６ｂの側）をスライドさせると外すことが出来る。
【００１０】台紙差し込み穴２の中央を広くすることで、見本台紙３ａ、３ｂの装着がスムーズに行える。見本台紙３ａ、３ｂの長スリット６ａ、６ｂを短スリット７ａ、７ｂより長くすることで見本台帳１に見本台紙３ａ、３ｂを装着した際にずれたり外れたりしない。
【００１１】台紙差し込み部５ａ、５ｂの見本８ａ、８ｂを配列した方向の長さＬ２を見本取り付け部４ａ、４ｂの見本８ａ、８ｂを配列した方向の長さＬ１より短かくすることで台紙差し込み穴２を短く出来、見本台帳１の強度が保てる。
台紙差し込み部５ａ、５ｂに品名・品番記入エリア１２ａ、１２ｂがあり品名や品番を明記することで、見本台紙３ａ、３ｂを見本台帳１から外して使用した時に品名や品番を容易に確認出来、台紙差し込み部５ａ、５ｂにも商品の情報などを明記することが出来る。見本台紙３ａ、３ｂの角丸み１１ａ、１１ｂがあるので、見本台帳１と見本台紙３ａ、３ｂの脱着がスムーズに行える。
【００１２】見本台紙３ａ、３ｂは、見本取り付け部４ａ、４ｂと台紙差し込み部５ａ、５ｂを平面状にも出来、見本台紙３ａ、３ｂを見本台帳１に装着した時に、見本取り付け部４ａ、４ｂが浮き上がらないので見本８ａ、８ｂの損傷が無い。
図５（Ａ、Ｂ）に示すように、見本台紙３ａ、３ｂを見本台帳１から取り外し、衣料品９や糸１０の対象物に近づけて比較検討が出来る。
【００１３】見本台帳１に見本台紙３ａ，３ｂを装着した状態で商品見本台帳を保管や移動しても、見本台紙３ａ、３ｂが長スリット６ａ、６ｂ及び短スリット７ａ、７ｂにより、表見本台帳１ａにしっかり固定されているので見本台紙３ａ、３ｂが見本台帳１から外れることがない。
【００１４】尚、図１の商品見本台帳の使用例として、房状の見本８ａを取り付けた見本台紙３ａと、板巻き状の見本８ｂを取り付けた見本台紙３ｂとを１列ずつ見本台帳１に差し込んだ状態を表しているが、この他にもさまざま見本台紙３ａ、３ｂの配列や組み合わせが可能である。
【符号の説明】
【００１５】１    見本台帳
１ａ  表見本台帳
１ｂ  裏見本台帳
２    台紙差し込み穴
３ａ、３ｂ  見本台紙
４ａ、４ｂ  見本取り付け部
５ａ、５ｂ  台紙差し込み部
６ａ、６ｂ  長スリット
７ａ、７ｂ  短スリット
８ａ、８ｂ  見本
９    衣料品
１０  糸
１１ａ、１１ｂ  角丸み
１２ａ，１２ｂ  品名・品番記入エリア
【図１】
0003204759.tif 000003
【図２】
0003204759.tif 000004
【図３】
0003204759.tif 000005
【図４】
0003204759.tif 000006
【図５】
0003204759.tif 000007